(57)【要約】     【課題】  入荷された玄米などの粒状物を、空気搬送方式で貯蔵タンクなどに張り込むための装置に於いて、横方向に長い位置から投入されるような場合でも、空気搬送を可能にする。    【解決手段】  粒状物が投入される細長い受箱１の下に、複数のホッパ２を設ける。各ホッパ２の下端の開口部３に１本の合流管４を連結し、更に吸気ダクト５に連結する。各ホッパ開口部３の合計面積を、吸気ダクト５の断面積の１．７倍以下にする。各ホッパの開口部３の面積を、吸気ダクト５に近いほど小さくする。合流管４の断面形状を扁平にし、かつ、その断面積を、吸気ダクトに近いほど大きくする。【選択図】  図１
2005306514.tif 000002
【特許請求の範囲】
【請求項１】
粒状物が投入される、細長い受箱と、この受箱の下に設けられた複数個のホッパと、各ホッパの下端の開口部に連結された１本の合流管と、この合流管に連結された吸気ダクトとからなり、各ホッパ開口部の合計面積が、吸気ダクトの断面積の１．７倍以下である、粒状物の空気搬送式張り込み装置。
【請求項２】
各ホッパの開口部面積が、吸気ダクトに近いものほど小さくなっている、請求項１記載の粒状物の空気搬送式張り込み装置。
【請求項３】
合流管の断面積が、吸気ダクトに近いほど、大きくなっている、請求項１記載の粒状物の空気搬送式張り込み装置。
【請求項４】
合流管の断面形状が、扁平になっている、請求項１記載の粒状物の空気搬送式張り込み装置。
【請求項５】
各ホッパの開口部が、幅の狭い長穴となっている、請求項４記載の粒状物の空気搬送式張り込み装置。
【発明の詳細な説明】
【技術分野】
【０００１】
この発明は、粒状物の空気搬送式張り込み装置に関し、例えば、精米工場などに於いて、入荷した玄米を空気搬送式で、工場内の貯蔵タンクに送り込むための装置に係る。
【背景技術】
【０００２】
従来、精米工場などで用いられている張り込み装置は、主として、バケットコンベアなどを用いる方式である。しかし、搬送対象の玄米には塵芥が混入している為、搬送作業によって張り込み装置が汚染されるだけでなく、投入口周辺では塵芥が周囲に飛散し、作業場全体が不潔になる。その上、張り込み装置の底部には粉塵が溜り、ここが害虫の発生源となって、商品となった加工処理後の米の中に害虫が混入し、消費者から苦情が出ることになる。更に、近年はコンタミ要請が強くなっているのに、従来の張り込み装置では、投入した穀物の一部が残留する為、次の作業時にこの残留物が、他の原料と混ざり合うことになり、社会の要請には全く対応できていない。
【０００３】
これらの為に、従来、一部では粒状物の搬送に、空気搬送が用いられ、このような問題に対応している。しかし、空気搬送方式では、被搬送物の投入口が小さくなければならず、被搬送物が広大な投入口から供給される場合には、利用できない。例えば、トラックの長尺な荷台に積荷している玄米を、横方向に移動させずに、そのままで投入できるような長い投入口の場合などには、投入口が細長く、かつ、広くなる為、採用できない。また、特許文献１に示されるように、パチンコ店などで、タバコの吸殻を回収する為に、空気搬送を用いることも提案されている。ただし、この場合には多数の吸殻投入口にそれぞれ開閉扉を取付けて、吸殻投入時のみ扉を開け、投入完了時には一旦、扉を閉め、その後に空気搬送するという方式を採っている。
【０００４】
【特許文献１】特開平８−２０６３５０号公報
【発明の開示】
【発明が解決しようとする課題】
【０００５】
このように、空気搬送を利用する為には、投入口が小さくなければならず、投入口が広い場合や、投入口が複数箇所ある場合には、空気の流入を阻止する為の開閉機構などを取付けなければならず、コスト高となり、実用化は難しかった。
【０００６】
本発明は、このような点に鑑み、トラックの長尺の荷台に積荷されている玄米などを、空気搬送方式で張り込むことのできる、粒状物の空気搬送式張り込み装置を提供するにある。更に、本発明は、低コストで達成可能な、粒状物の空気搬送式張り込み装置を提供するにある。
【課題を解決するための手段】
【０００７】
本発明の粒状物の空気搬送式張り込み装置の技術的手段は、粒状物が投入される、細長い受箱と、この受箱の下に設けられた複数個のホッパと、各ホッパの下端の開口部に連結された１本の合流管と、この合流管に連結された吸気ダクトからなり、各ホッパ開口部の合計面積が、吸気ダクトの断面積の１．７倍以下であることにある。
【０００８】
また、各ホッパの開口部面積は、吸気ダクトに近いものほど小さくするのが好ましい。更に、合流管の断面積は、吸気ダクトに近いほど大きくするのがよい。また、合流管の断面形状は、扁平とするのが好ましい。更に、各ホッパの開口部を、幅の狭い長穴にするのが好ましい。
【発明の効果】
【０００９】
本発明の張り込み装置では、複数のホッパ開口部の合計面積に制限が加えられているので、ホッパの数が多くなった時でも、各ホッパ開口部から合流管に落下した被搬送粒状物を、合流管を高速で流れる空気にのせて、搬送することができる。特に、吸気ダクトから遠い位置のホッパにのみ粒状物が投入され、他の位置のホッパが空の場合でも、粒状物の搬送が可能である。また、本発明の張り込み装置は、投入口が長い場合でも空気搬送が可能であるので、例えば、長尺のトラックの荷台から、積荷の玄米などを横方向に移動させることなく、投入する場合にも利用でき、精米工場などで利用して、有利である。しかも、被搬送物や粉塵が全く残留しないから、害虫の発生やコンタミ問題を招くこともない。更に、本発明は、開口部の大きさに制限を加えるだけだから、製造コストは低く、廉価に実施可能である。
【００１０】
請求項２のものは、吸気ダクトに近いものほど、開口部の面積が小さくなっているので、吸気ダクトから遠くて、条件の悪い位置のホッパから投入された粒状物も確実に搬送可能である。
【００１１】
請求項３のものは、合流管の断面積が、吸気ダクトに近いほど、大きくなっているので、どの位置のホッパから投入された場合でも、間違いなく搬送することができる。
【００１２】
請求項４のものは、合流管の断面形状が、扁平になっているので、投入された粒状物を効率よく、搬送できる。
【００１３】
請求項５のものは、ホッパの開口部を、幅の狭い長穴にしているので、それより大きい異物の流入を阻止及び分離することができる。
【発明を実施するための最良の形態】
【００１４】
本発明の粒状物の空気搬送式張り込み装置を実施するための最良の形態を、図面の実施例に基づいて説明する。図１には、精米工場などで利用可能な装置の概要が示されている。１は受箱で、原料の投入箇所に設けられる。受箱１の上面は、細長い長方形であり、その下方には、複数箇（図示例では５個）のホッパ２が直列に並べて設けられている。ホッパ２の下端は、開口部３になっていて、１本の合流管４に連結されていて、ホッパ２を流下してきた被搬送物は、開口部３を通って、合流管４に落下流入するようになる。
【００１５】
この開口部３の形状（大きさ）については、一定の制約がある。先ず、全ての開口部３の面積の合計が、合流管４に連結された吸気ダクト５の断面積の１．７倍以下でなければならない。開口部３の合計面積がこれよりも大きいと、被搬送物が投入されていないホッパ２の開口部３より、空気の流入が多くなって、それより遠いホッパ２からの被搬送物は、空気搬送ができなくなる。また、このように設定することによって、例えば、吸気ダクト５から最も遠いホッパにのみ被搬送物が投入され、他のホッパが空の場合でも、各ホッパの合計開口面積が小さい為、ここからの吸気が少なく、先端の吸気口６からの吸気が多いので、搬送が可能になる。
【００１６】
更に、各開口部３のそれぞれの面積を、吸気ダクト５に近いものほど、小さくするのが好ましい。即ち、図示例のように５個の開口部３ａ、３ｂ、３ｃ、３ｄ、３ｅがあったとすると、各開口部の面積を、３ａ＜３ｂ＜３ｃ＜３ｄ＜３ｅとなるようにする。これにより、各開口部３ａ・・・における各吸引力が均等化して、被搬送物が各開口部からスムーズに流入するようになり、最も悪条件の３ｅからでも問題なく吸込まれるようになる。
【００１７】
更に、合流管４にも、一定の条件設定とするのが好ましい。即ち、先ず、合流管４の断面形状を、扁平な角形にする。これにより、管内に流入した粒状の被搬送物を効率よく、搬送できるようになる。更に、合流管４の断面積を、吸気ダクト５の方を大きくし、吸気口６に向うほど小さくする。これにより、管の長手方向における吸引力が均等化して、どこに投入された場合でも、確実に搬送できるようになる。なお、合流管４を扁平にすることで、ホッパ２の各開口部３を、幅の狭い長穴にすることができ、それより大きい異物の流入を阻止、及び、分離できる。更に、その長穴の長手方向に、１本乃至複数本の仕切体を掛け渡すことによって、被搬送物の粒体より僅かに大きい異物の分離までも果たすことが可能になる。なお、この仕切体としては、金属製の細線や帯板などが適し、網ではないので、線の交差点に粒体が残留することがない。
【００１８】
合流管４の先端の吸気口６は、大気への開放でも、他の送気管に連結してもよい。また、合流管４の基端は、垂直方向に立ち上がっており、かつ、断面形状が角形から丸形へと変形されて、吸気ダクト５に連結されている。更に、吸気ダクト５は吸気ブロワ７に直接または間接的に連結されている。
【実施例１】
【００１９】
ホッパ２の開口部３の形状や、合流管４の断面形状を変えたものについて、次のような試験を行った。
被搬送物  ：  玄米
ホッパの個数  ：  ５
ホッパの開口部３の断面形状  ：  表１の通り
合流管の断面形状  ：  表２の通り
合流管の水平部の長さ  ：  １０ｍ
吸気ダクトの内径  ：  ９７．６ｍｍ（断面積：７４７７ｍｍ2 ）
吸気ダクトの設置  ：  垂直部は４ｍ、その先の水平部は１０ｍ
吸気ダクト内の風速  ：  米の傷損限界速度
【００２０】
【表１】
2005306514.tif 000003
【００２１】
【表２】
2005306514.tif 000004
【００２２】
以上の試験により、ホッパの開口部の合計面積は、吸気ダクトの断面積の約１．７倍以下でなければならないことが分った。また、ホッパ開口部の大きさを、吸気ダクトに近いものほど、小さくするのが良いことが分った。更に、合流管の断面積を、吸気ダクトに近いものほど大きくするのが良いことが分った。
【００２３】
本発明は、前記の実施例に限定されるものではなく、特許請求の範囲の記載の範囲内で自由に変形実施可能である。特に、ホッパの個数や、ホッパ開口部の形状、更には合流管の形状などは自由である。
【図面の簡単な説明】
【００２４】
【図１】本発明の張り込み装置の実施例の概要図。
【符号の説明】
【００２５】
１        受箱
２        ホッパ
３        ホッパ開口部
４        合流管
５        吸気ダクト
６        合流管の先端吸気口
【図１】
2005306514.tif 000005